(57)【要約】【課題】簡単な構成にて、ケーブルのケーブル長を検知し適切な伝送パラメータに可変することができる画像信号伝送装置を提供する。【解決手段】画像信号伝送装置２は、接続モジュール３との間で接続されたケーブル４のケーブル長を検知するケーブル長検知手段２１と、ケーブル長検知手段２１により検知したケーブル長に応じて、所定の画像信号をケーブル４へ出力する画像信号出力手段２２とを備え、ケーブル長検知手段２１は、ケーブル長と予め対応付けられたケーブル４を特定することにより、ケーブル４のケーブル長を検知する。また、ケーブル長検知手段２１は、ケーブル４の所定端子との接続状態に応じて、ケーブル４を特定する。【選択図】          図１
2005018291.tif 000002
【特許請求の範囲】
【請求項１】
接続モジュールとの間で接続されたケーブルのケーブル長を検知する第１検知手段と、
前記第１検知手段により検知したケーブル長に応じて、所定の画像信号を前記ケーブルへ出力する出力手段とを備え、
前記第１検知手段は、予めケーブル長と対応付けられたケーブルを特定することにより、前記ケーブルのケーブル長を検知することを特徴とする画像信号伝送装置。
【請求項２】
前記第１検知手段は、前記ケーブルの所定端子との接続状態に応じて、前記ケーブルを特定することを特徴とする請求項１記載の画像信号伝送装置。
【請求項３】
前記第１検知手段は、前記ケーブルの所定端子に内蔵された抵抗の抵抗値に基づいて、前記ケーブルを特定することを特徴とする請求項１記載の画像信号伝送装置。
【請求項４】
前記第１検知手段は、前記接続モジュールの種類に基づいて、前記ケーブルを特定することを特徴とする請求項１記載の画像信号伝送装置。
【請求項５】
接続モジュールとの間で接続されたケーブルのケーブル長を検知する第１検知手段と、
前記第１検知手段により検知したケーブル長に応じて、所定の画像信号を前記ケーブルへ出力する出力手段とを備え、
前記第１検知手段は、前記ケーブルを介して出力した所定信号を前記接続モジュールから受信するまでの時間を計測することにより、前記ケーブルのケーブル長を検知することを特徴とする画像信号伝送装置。
【請求項６】
前記画像信号伝送装置は更に、前記ケーブル内の電線長のばらつきが所定の範囲内にあるどうかを検知する第２検知手段を備えることを特徴とする請求項１記載から請求項５のいずれか一項に記載の画像信号伝送装置。
【請求項７】
前記出力手段は、前記第１検知手段が検知したケーブル長に応じて、前記ケーブルへ出力する画像信号の振幅を変更することを特徴とする請求項１から請求項６のいずれか一項に記載の画像信号伝送装置。
【請求項８】
前記出力手段は、前記検知手段が検知したケーブル長に応じて、前記ケーブルへ出力する画像信号の電流加速値を変更することを特徴とする請求項１から請求項７のいずれか一項に記載の画像信号伝送装置。
【請求項９】
前記出力手段は、前記第１検知手段が検知した前記ケーブルのケーブル長又は前記第２検知手段が検知したケーブル内の電線長のばらつきに応じて、前記ケーブルへ出力する画像信号の伝送周波数を変更することを特徴とする請求項６から請求項８のいずれか一項に記載の画像信号伝送装置。
【請求項１０】
前記出力手段は、前記第１検知手段が検知した前記ケーブルのケーブル長又は前記第２検知手段が検知したケーブル内の電線長のばらつきに応じて、所定のジョブだけを受け付けることを特徴とする請求項６から請求項９のいずれか一項に記載の画像信号伝送装置。
【請求項１１】
前記画像信号伝送装置は更に、前記第１検知手段が検知した前記ケーブルのケーブル長又は前記第２検知手段が検知したケーブル内の電線長のばらつきに応じて、外部から入力された画像信号を所定の画像信号へ変換する画像変換手段を備えることを特徴とする請求項６から請求項１０のいずれか一項に記載の画像信号伝送装置。
【請求項１２】
画像信号伝送装置を備えた情報処理装置であって、
前記画像信号伝送装置は、請求項１から請求項１１のいずれか一項に記載の画像信号伝送装置であることを特徴とする情報処理装置。
【請求項１３】
前記情報処理装置は更に、前記第１検知手段が検知したケーブルのケーブル長が所定の長さを超える際に、規格外のケーブルが接続されていることをユーザーインターフェースを介して所定の表示手段に表示する手段を有することを特徴とする請求項１２記載の情報処理装置。
【請求項１４】
前記情報処理装置は更に、前記第２検知手段により検知した前記ケーブル内の電線長のばらつきが所定の範囲内にないときに、規格外のケーブルが接続されていることをユーザーインターフェースを介して所定の表示装置に表示する手段を有することを特徴とする請求項１２又は請求項１３記載の情報処理装置。
【請求項１５】
前記情報処理装置は更に、前記第１検知手段又は前記第２検知手段の検知結果に応じて機能を限定したジョブだけを前記ケーブルへ出力する際に、機能を限定したジョブだけを行うことをユーザーインターフェースを介して所定の表示手段に表示する手段を有することを特徴とする請求項１２から請求項１４のいずれか一項に記載の情報処理装置。
【発明の詳細な説明】
【０００１】
【発明の属する技術分野】
本発明は、画像信号伝送装置及び情報処置装置に関する。
【０００２】
【従来の技術】
従来、画像信号伝送装置と、接続モジュールとの間に接続されるケーブル長を検知してケーブル長に応じて画像を伝送するようにした装置が提案されている。
特許文献１はこのような従来の装置について提案している。特許文献１では、信号用ケーブルと同一長さの一対の検出用ケーブルと、検出用ケーブル上に反射波を発生させるための予め定められた低電圧の検出用差動信号を出力する検出用出力回路と、検出用ケーブルの他端に設けられ、検出用差動信号に対する反射波を発生する反射波発生回路と、検出用ケーブルの一端に設けられ、反射波発生回路において発生された反射波を検出する反射波検出回路により、信号用ケーブルのケーブル長を検出し、それに応じたケーブル長信号を形成するというものである。
【０００３】
【特許文献１】
特開２０００−１８１５９１号公報
【発明が解決しようとする課題】
しかしながら、特許文献１記載の装置では、検出用ケーブル上に反射波を発生させるための予め定められた低電圧の検出用差動信号の出力に基づいて、反射波発生回路により発生した反射波を反射波検出回路により検出して、信号用ケーブルのケーブル長を検出するようにしているため、構成が複雑であるという問題がある。
【０００４】
本発明は、上記問題点に鑑みてなされたもので、簡単な構成にて、ケーブルのケーブル長を検知することができる画像信号伝送装置及び情報処置装置を提供することを目的とする。
【０００５】
【課題を解決するための手段】
上記課題を解決するために、請求項１記載の画像信号伝送装置は、接続モジュールとの間で接続されたケーブルのケーブル長を検知する第１検知手段と、前記第１検知手段により検知したケーブル長に応じて、所定の画像信号を前記ケーブルへ出力する出力手段とを備え、前記第１検知手段は、予めケーブル長と対応付けられたケーブルを特定することにより、前記ケーブルのケーブル長を検知することを特徴とする。
【０００６】
請求項１記載の発明によれば、ケーブルの接続状態に応じて、ケーブルのケーブル長を検知するようにしたので、簡単な構成によりケーブルのケーブル長を検知することができる。
【０００７】
また、本発明は、請求項２に記載のように、請求項１記載の画像信号伝送装置において、前記第１検知手段は、前記ケーブルの所定端子との接続状態に応じて、前記ケーブルを特定することを特徴とする。請求項２記載の発明によれば、所定端子との接続状態に応じて、ケーブルを特定するようにしたので、簡単な構成により、ケーブル長を検知できる。
【０００８】
また、本発明は、請求項３に記載のように、請求項１記載の画像信号伝送装置において、前記第１検知手段は、前記ケーブルの所定端子に内蔵された抵抗の抵抗値に基づいて、前記ケーブルを特定することを特徴とする。請求項３記載の発明によれば、ケーブルの所定端子に内蔵された抵抗の抵抗値に基づいて、ケーブルを特定するようにしたので、簡単な構成により、ケーブル長を検知することができる。
【０００９】
また、本発明は、請求項４に記載のように、請求項１記載の画像信号伝送装置において、前記第１検知手段は、前記接続モジュールの種類に基づいて、前記ケーブルを特定することを特徴とする。請求項４記載の発明によれば、接続モジュールの種類を特定し、この接続モジュールの種類に対応させてケーブルのケーブル長を検知するようにしたので、簡単な構成により、ケーブル長を検知することができる。
【００１０】
また、請求項５記載の画像信号伝送装置は、接続モジュールとの間で接続されたケーブルのケーブル長を検知する第１検知手段と、前記第１検知手段により検知したケーブル長に応じて、所定の画像信号を前記ケーブルへ出力する出力手段とを備え、前記第１検知手段は、前記ケーブルを介して出力した所定信号を前記接続モジュールから受信するまでの時間を計測することにより、前記ケーブルのケーブル長を検知することを特徴とする。
【００１１】
請求項５記載の発明によれば、ケーブルを介して出力した所定信号を接続モジュールから受信するまでの時間を計測することにより、前記ケーブルのケーブル長を検知するようにしたので、簡単な構成により、ケーブル長を検知することができる。
【００１２】
また、請求項６記載の画像信号伝送装置は更に、前記ケーブル内の電線長のばらつきが所定の範囲内にあるどうかを検知する第２検知手段を備えることを特徴とする請求項１から請求項５記載のいずれか一項に記載の画像信号伝送装置。請求項６記載の発明によれば、ケーブル内の電線長のばらつきが所定の範囲内にあるどうかを検知することができる。
【００１３】
また、本発明は、請求項７に記載のように、請求項１から請求項６のいずれか一項に記載の画像信号伝送装置において、前記出力手段は、前記第１検知手段が検知したケーブル長に応じて、前記ケーブルへ出力する画像信号の振幅を変更することを特徴とする。請求項７記載の発明によれば、ケーブル長に応じて出力する画像信号の振幅を変更するようにしたので、放射電磁ノイズを少なくすることができる。
【００１４】
また、本発明は、請求項８に記載のように、請求項１から請求項７のいずれか一項に記載の画像信号伝送装置において、前記出力手段は、前記検知手段が検知したケーブル長に応じて、前記ケーブルへ出力する画像信号の電流加速値を変更することを特徴とする。請求項８記載の発明によれば、ケーブル長に応じて出力する画像信号の電流加速値を変更するようにしたので、放射電磁ノイズを少なくすることができる。
【００１５】
また、本発明は、請求項９に記載のように、請求項６から請求項８のいずれか一項に記載の画像信号伝送装置において、前記出力手段は、前記第１検知手段が検知した前記ケーブルのケーブル長又は前記第２検知手段が検知したケーブル内の電線長のばらつきに応じて、前記ケーブルへ出力する画像信号の伝送周波数を変更することを特徴とする。請求項９記載の発明によれば、ケーブルの長さやケーブル内の電線長のばらつきに基づく品質に応じて、画像信号を出力することができる。
【００１６】
また、本発明は、請求項１０に記載のように、請求項６から請求項９のいずれか一項に記載の画像信号伝送装置において、前記出力手段は、前記第１検知手段が検知した前記ケーブルのケーブル長又は前記第２検知手段が検知したケーブル内の電線長のばらつきに応じて、所定のジョブだけを受け付けることを特徴とする。請求項１０記載の発明によれば、ケーブル長やケーブル内の電線長のばらつきに応じて、所定のジョブだけを受け付けるようにしたので、伝送不能状態を回避することできる。
【００１７】
また、請求項１１記載の画像信号伝送装置は、請求項６から請求項１０のいずれか一項に記載の画像信号伝送装置において、更に、前記第１検知手段が検知した前記ケーブルのケーブル長又は前記第２検知手段が検知したケーブル内の電線長のばらつきに応じて、外部から入力された画像信号を所定の画像信号へ変換する画像変換手段を備えることを特徴とする。
【００１８】
請求項１１記載の発明によれば、画像変換手段は、ケーブル長又はケーブル内の電線長のばらつきに応じて、外部から入力された画像信号を所定の画像信号へ変換するようにしたので、例えばピッチスキップ又はプロセススピードダウンするなどして画像の生産性を変更することで、ケーブル長やケーブル内の電線長のばらつきに応じた画像信号を伝送することができる。
【００１９】
また、請求項１２記載の情報処理装置は、画像信号伝送装置を備えた情報処理装置であって、前記画像信号伝送装置は、請求項１から請求項１１のいずれか一項に記載の画像信号伝送装置であることを特徴とする。請求項１２記載の発明によれば、簡単な構成によりケーブルのケーブル長を検知できる画像信号伝送装置を備えた情報処理装置を提供することができる。
【００２０】
また、請求項１３記載の情報処理装置は、請求項１２記載の情報処理装置において、更に、前記第１検知手段が検知したケーブルのケーブル長が所定の長さを超える際に、規格外のケーブルが接続されていることをユーザーインターフェースを介して所定の表示手段に表示する手段を有することを特徴とする。請求項１３記載の発明によれば、ユーザーに規格外のケーブルが接続されていることを知らせることができる。
【００２１】
また、請求項１４記載の情報処理装置は、請求項１２又は請求項１３記載の情報処理装置において、更に、前記第２検知手段により検知した前記ケーブル内の電線長のばらつきが所定の範囲内にないときに、規格外のケーブルが接続されていることをユーザーインターフェースを介して所定の表示装置に表示する手段を有することを特徴とする。請求項１４記載の発明によれば、規格外のケーブルが接続されていることをユーザーに知らせることができる。
【００２２】
また、請求項１５記載の情報処理装置は、請求項１２から請求項１４のいずれか一項に記載の情報処理装置において、更に、前記第１検知手段又は前記第２検知手段の検知結果に応じて機能を限定したジョブだけを前記ケーブルへ出力する際に、機能を限定したジョブだけを行うことをユーザーインターフェースを介して所定の表示手段に表示する手段を有することを特徴とする。請求項１５記載の発明によれば、機能を限定した例えばプリント等のジョブを行うことをユーザーに知らせることができる。
【００２３】
【発明の実施の形態】
（第１実施形態）
以下、本発明を適用した実施形態について説明する。図１は、第１実施形態に係るシステムのブロック図である。図１に示すように、第１実施形態に係るシステム１は、画像信号伝送装置２を含む情報処理装置５、接続モジュール３、表示手段６を備え、画像信号伝送装置２と接続モジュール３との間は、ケーブル４によって接続されている。
【００２４】
情報処理装置５は例えばパーソナルコンピュータにより構成される。画像信号伝送装置２は、ケーブル長検知手段２１、画像信号出力手段２２、画像変換手段２６を備える。ケーブル長検知手段２１が第１検知手段、画像信号出力手段２２が出力手段にそれぞれ相当する。
【００２５】
ケーブル長検知手段２１は、接続モジュール３との間で接続されるケーブル４のケーブル長を検知するものであり、より詳細には、ケーブル長と予め対応付けられたケーブルを特定することにより、ケーブル４のケーブル長を検知する。
【００２６】
画像信号出力手段２２は、接続モジュール３へ伝送する画像信号をケーブル４へ出力するものである。画像変換手段２６は、例えばグラフィックコントローラにより構成され、外部から入力された画像信号を画像出力手段２２により出力する画像信号へ変換する。この画像変換手段２６は、ケーブル長検知手段２１が検知したケーブル４のケーブル長又はケーブル長検知手段２１が検知したケーブル内の電線長のばらつきに応じて、外部から入力された画像信号を所定の画像信号へ変換し、変換した画像信号を画像出力手段へ出力する。
【００２７】
接続モジュール３は、受信手段３１を備える。この受信手段３１は、画像信号伝送装置２からケーブル４を介して伝送された画像信号等を含む信号を受信するものである。
【００２８】
次に、第１実施形態に係る画像信号伝送装置におけるケーブルのケーブル長検知方法について説明する。図２は、第１実施形態に係る画像信号伝送装置を説明するための図である。図２において、２は画像信号伝送装置、４はケーブルを示している。画像信号伝送装置２は、ケーブル長検知手段２１、基板２３、基板２３上に実装されたコネクタ２４、増幅器２５を有する。このケーブル長検知手段２１は、ケーブル４の所定端子との状態に応じて、ケーブル４を特定し、ケーブル長を検知する。
【００２９】
ケーブル４は、コネクタ２４に電気的に接続するためのコネクタ４１を有する。コネクタ４１は、各ケーブル４のケーブル長に応じて、内蔵する所定端子をショート、又はオープンにしてある。コネクタ２４内のＮピンは、増幅器２５を介して、ケーブル長検知手段２１に接続されている。また、コネクタ２４の所定端子はグランドに接続されている。
【００３０】
このコネクタ４１が接続された基板２３側のコネクタ２４で所定端子同士の組み合わせによって、Ｎピンからの出力は増幅器２５を介して、ケーブル長検知手段２１へ所定の信号が出力されるようにしておく。これにより、コネクタ２４に接続されたコネクタ４１の所定端子の状態に応じて、接続されたケーブル４のケーブル長を特定することができる。
【００３１】
次に、第１実施形態に係る画像信号伝送装置のケーブル長の特定例について図３を用いて説明する。図３では、ケーブルを特定するための専用端子としてＮピン及びＭピンを用いた例を示している。図３に示すように、ケーブル長検出手段２１がＮピンから５ｖの出力信号を検出した場合は、画像信号伝送装置２に接続されたケーブル４のケーブル長が１ｍであることを検知する。
【００３２】
また、ケーブル長検出手段２１がＮピンから０ｖの出力信号を検知した場合は、画像信号伝送装置２に接続されたケーブル４のケーブル長が５ｍであることを検知する。また、ケーブル長検出手段２１がＮピンに何も接続されていない、すなわちオープンな状態であることを検出した場合は、画像信号伝送装置２に接続されたケーブル４のケーブル長が１０ｍであることを検知する。
【００３３】
また、図３のＸと示す箇所に、Ｍピンの接続状態を適宜決定することにより、画像信号伝送装置２に接続されたケーブル４のケーブル長を更に詳細に特定することができる。
【００３４】
第１実施形態によれば、ケーブル４のプラグ部の空き端子の中の所定端子をショート又はオープンにしておくようにしたので、簡単な構成により、接続されたケーブルのケーブル長を検知できる。
【００３５】
（第２実施形態）
次に、第２実施形態に係る画像信号伝送装置について説明する。図４は、第２実施形態に係る画像信号伝送装置を説明するための図である。図４において、２は画像信号伝送装置、４はケーブルを示している。画像信号伝送装置２は、ケーブル長検知手段１２１、基板１２３、基板１２３上に実装されたコネクタ１２４、増幅器１２５、抵抗Ｒ２を有する。このケーブル検知手段１は、ケーブル４の所定端子に内蔵された抵抗の抵抗値に基づいて、ケーブル４を特定し、ケーブル長を検知する。
【００３６】
ケーブル４は、コネクタ１２４に電気的に接続するためのコネクタ１４１を有する。ケーブル４の所定端子に、各ケーブル４のケーブル長に応じて異なる抵抗Ｒ１を内蔵しておく。この抵抗Ｒ１の値は、予めケーブル４のケーブル長さに対応させた所定の抵抗値としておく。
【００３７】
このケーブル４が接続された基板１２３側で抵抗Ｒ２により分圧されたアナログ電圧を測定して、ケーブル４に仕込まれた抵抗Ｒ１の抵抗値を求め、その値であらかじめ決めておいた設定と対応させて、ケーブル４を特定し、ケーブル長を検知する。
【００３８】
第２実施形態によれば、例えば、１［ｍ］で１［ｋΩ］、１０［ｍ］で１０［ｋΩ］等のように予めケーブルのケーブル長に対応させてケーブルの所定端子に内蔵された抵抗Ｒ１の抵抗値を決定しておくことにより、簡単な構成で、ケーブル４を特定し、ケーブル長を検知することができる。
【００３９】
（第３実施形態）
次に、第３実施形態に係る画像信号伝送装置について説明する。図５は、第３実施形態に係る画像信号伝送装置を説明するための図である。図５において、２は画像信号伝送装置、３は接続モジュール、４はケーブルをそれぞれ示している。画像信号伝送装置２は、ケーブル長検知手段２２１、基板２２３、基板２２３上に実装されたコネクタ２２４、パルスジェネレータ（ＰＧ）２２５、カウンタ２２６を有する。
【００４０】
このケーブル長検知手段２２１は、ケーブル４を介して出力した所定信号を接続モジュールから受信するまでの時間を計測することにより、ケーブル４のケーブル長を検知する。パルスジェネレータ２２５は、所定のパルスを発生させる。
カウンタ２２６は、パルスジェネレータ２２５からのパルスと、接続モジュールを介して受信したパルスに基づいて、遅延時間を計測するものである。
【００４１】
接続モジュール３は、受信手段３１、基板３２、基板３２に実装されたコネクタ３３を有する。ケーブル４は、コネクタ２２４に電気的に接続するためのコネクタ２４１、コネクタ３３に電気的に接続するためのコネクタ２４２を有する。
【００４２】
この構成により、画像信号伝送装置２のパルスジェネレータ２２５からケーブル４を介して、あるデータを送信して接続モジュール３の受信手段３１からそのデータをループバックさせて、そのデータが帰ってくるまでの時間をカウンタ２２６からの出力に基づいて、ケーブル長検知手段２１１が計測（クロックのカウント）することケーブル４のケーブル長を求める。
【００４３】
図６は、タイミングチャートを示している。（ａ）はパルスジェネレータ２２５から出力されたテストデータＡ、（ｂ）はテストデータＡが接続モジュール３の受信手段３１からループバックさせたデータＢ、（ｃ）はカウンタのクロック信号をそれぞれ示している。
【００４４】
画像信号伝送装置２のパルスジェネレータ２２５から出力したテストデータＡを他方に接続される接続モジュール３の受信手段３１をループさせて戻ってきた波形Ｂとの遅れ（スキュー）を、同図（ｃ）に示すテストデータＡより十分に細かいクロックで計測する。この計測値によりケーブルの長さを検知できる。
【００４５】
例えば、ケーブル遅延を４．２［ｎｓｅｃ／ｍ］、ケーブル長１０ｍのケーブルの場合、往復で、８４［ｎｓｅｃ］程度遅れる。ＶＣＬＫ周期が２０［ｎｓｅｃ］（５０ＭＨｚ）の場合、波形Ｂが波形Ａに対してクロック２つ分遅れている。この場合、ケーブルのケーブル長が５ｍと検知する。また、波形Ｂが波形Ａに対してクロック４つ分遅れている場合は、ケーブルのケーブル長が１０ｍであると検知する。
【００４６】
第３実施形態によれば、前記ケーブルを介して出力した所定信号を前記接続モジュールから受信するまでの間隔に基づいて、ケーブルのケーブル長を検知するようにしたので、簡単な構成により、ケーブル長を検知できる。
【００４７】
（第４実施形態）
次に、第４実施形態に係る画像信号伝送装置について説明する。なお、第４実施形態では、第１実施形態で説明したシステム構成により実現可能であるため、図１を用いて説明する。第４実施形態では、画像信号伝送装置２のケーブル長検知手段２１内に、ケーブル４を介して接続される接続モジュール３の種類に応じたケーブル長の情報を予め持たせておく。
【００４８】
画像信号伝送装置２は、ケーブル４を介した通信により接続モジュール３の種類を検出することにより、この接続モジュール３の種類に応じたケーブル４を特定し、ケーブル長を検知する。また、画像信号出力手段２２は、画像信号伝送装置２に接続されるケーブル４のケーブル長に応じて、電圧振幅値又は電流加速値を変える。ここで、画像信号出力手段２２は、予め内部に記憶するケーブル長に対応して決められた電圧振幅値又は電流加速値及び検知したケーブルのケーブル長に応じて、電圧振幅値又は電圧加速値を変更する。
【００４９】
上記電圧振幅値は、ケーブル４の長さが長いほど、大きくなるようにしておく。一方、ケーブル４の長さが短いほど、すぐに伝送できるので、電圧振幅値はそれほど大きくなくてよい。また、電流加速については、送る電流が大きいほど、ノイズが大きくなるので、なるべく小さい値で送ることが望ましい。予めケーブル長に応じたパラメータを決定しておき、ケーブル長に応じてこのパラメータを変える。ケーブル４のケーブル長が短い場合には、電圧振幅値及び電流加速値は小さいてよい。
【００５０】
一方、ケーブル４のケーブル長ければそれなりの電圧振幅値と、電流加速値が必要となる。このように、ケーブル長の応じて電圧振幅値又は電流加速値を変更することにより、放射電磁ノイズを少なくすることができるので、環境への悪影響を低減することができる。
【００５１】
次に、画像信号出力手段が行うケーブル長に応じた電圧振幅値又は電流加速値の変更例について説明する。図７は、画像信号出力手段が行うケーブル長に応じた電圧振幅値又は電流加速値の変更例を示す図である。また、図８（ａ）は電圧振幅値の変更を示す図であり、同図（ｂ）は電流加速値の変更を示す図である。
【００５２】
電圧振幅値及び電流加速値の変更は、接続されるケーブル長に応じて、画像信号出力手段２２により行われる。図８（ａ）の破線で示す波形は、実線で示すものよりも電圧振幅値を大きくしたものを示している。また、図８（ｂ）の破線で示す波形は、実線で示すものよりも電流加速値が大きくした波形を示している。
【００５３】
図７に示すように、画像信号出力手段２２は、接続モジュール３の種類がＡである場合は、接続されるケーブル４のケーブル長が１ｍであると特定し、出力する画像信号の電圧振幅値を１００％、又は出力する画像信号の電流加速値を１００％にする。
【００５４】
画像信号出力手段２２は、接続モジュール３の種類がＢである場合は、接続されるケーブル４のケーブル長が５ｍであると特定し、出力する画像信号の電圧振幅値を１１０％、又は出力する画像信号の電流加速値を１２０％に変更する。画像信号出力手段２２は、接続モジュール３の種類がＣである場合は、接続されるケーブル４のケーブル長が１０ｍであると特定し、出力する画像信号の電圧振幅値を１２０％、又は出力する画像信号の電流加速値を１５０％に変更する。
【００５５】
第４実施形態によれば、ケーブル長に応じて出力する画像信号の電圧振幅値又は電流加速値を変更するようにしたので、放射電磁ノイズを少なくすることができる。
【００５６】
（第５実施形態）
次に、第５実施形態に係る画像信号伝送装置について説明する。なお、第５実施形態では、第３実施形態で説明したシステム構成により実現可能であるため、図５を用いて説明する。第５実施形態では、画像信号伝送装置２から接続モジュール３へパラレル伝送を行い、パラレル伝送での各ビットの遅延量を測定し、ばらつきが所定の値を超えた場合に、各データの伝送遅れ（スキュー）を、上記第３実施形態と同様の手法により、測定して、ケーブル長に対する遅れ量を検出する。この遅れ量に基づいて接続されたケーブルが規格内のケーブルかどうかを判定する。
【００５７】
第５実施形態に係るシステムの動作について説明する。画像信号伝送装置２のパルスジェネレータ２２５からケーブル４を介して、あるデータを送信して接続モジュール３の受信手段３１からデータをループバックさせて、そのデータが帰ってくるまでの時間をカウンタ２２６の出力に基づいて、ケーブル長検知手段２２１により計測（クロックのカウント）し、ケーブル長のばらつきに基づく各ビットの遅れ量を検出する。
【００５８】
ケーブル長検知手段２２１は、上記遅れ量が所定の範囲内であれば、ケーブル４が規格内のケーブルであると判定し、上記遅れ量が規格内の範囲内にない場合には、接続されたケーブル４が規格外のケーブルであると判定する。
【００５９】
なお、画像信号伝送装置２を含む情報処理装置５は、接続されたケーブル４が規格外のケーブルである場合は、ユーザーインターフェースを介して、所定の表示手段６に表示する。
【００６０】
第５実施形態によれば、規格外のケーブルが接続されたことをユーザーに知らせることができる。
【００６１】
（第６実施形態）
次に第６実施形態に係る画像信号伝送装置について説明する。図９は、伝送周波数範囲の例を示す図である。図９に示す例では、低速機Ａ機種の場合、伝送ＣＬＫ周波数の最小値は１５［ＭＨｚ］、伝送ＣＬＫ最大値は５０［ＭＨｚ］であり、また、中速機Ｂ機種の場合、伝送ＣＬＫ周波数の最小値は２５［ＭＨｚ］、伝送ＣＬＫ最大値は５０［ＭＨｚ］であり、また、中速機Ｃ機種の場合、伝送ＣＬＫ周波数の最小値は３５［ＭＨｚ］、伝送ＣＬＫ最大値は５０［ＭＨｚ］である。
【００６２】
伝送ＣＬＫ周波数の下限値は、その機種のプロセス速度や解像度などに依存し、画像形成に対して準備しなければならないビデオデータの必要最低限の帯域から逆算して機種ごとに定義することができる。これに対して、伝送ＣＬＫの最大値は、機種のプロセス速度や解像度には依存せず、インターフェースのスペックにより予め決められた値である。図９に示す例では、全ての機種において、伝送ＣＬＫ周波数の最大値は５０［ＭＨｚ］となっている。
【００６３】
ビデオデータを伝送する場合、例えばプリンタ部の要求通りに画像を伝送するのではなく、これらの仕様に従った範囲内で自由な周波数でビデオデータを伝送することができる。このため、画像信号伝送装置２の画像変換手段２６は、その都合に合わせた伝送周波数でデータを画像信号出力手段２２へ出力する。
【００６４】
接続モジュール３の受信手段３１のスループットやバスの制限に対して、自由度の高い設計が可能となるばかりか、既に実装しているクロック（ＣＬＫ）を利用することも可能である。
【００６５】
ケーブルの長さ又はケーブルの品質がこのスペックを満たさないものであれば、伝送ＣＬＫ周波数を下げることでデータの伝送を行う。例えば、規格以外のケーブルが接続されている場合に、伝送周波数をプロセススピードに応じて、帯域が１２００ｄｐｉから６００ｄｐｉに変更するように、伝送システムのスペックを変更する。また、例えば、ケーブル長又はケーブルの品質に応じて、プリントデータを伝送する。これにより、プリント側では、ケーブル長又はケーブルの品質に応じたプリントデータに基づいて、プリント動作を実現できる。
【００６６】
第６実施形態によれば、ケーブルの長さ又はケーブルの品質に応じて画像信号を出力することができる。
【００６７】
（第７実施形態）
次に、第７実施形態に係る画像信号伝送装置について説明する。インターフェイススペックで定義された周波数は、画像のインターフェースモード、即ち画像データフォーマットによっては例え同じプロセススピードに対してでも、図１０に示す如く伝送に必要な帯域は異なってくる。図１０に示す例では、６００ｄｐｉ×６００ｄｐｉ×１ｂｉｔモードでは、伝送ＣＬＫ周波数の最小値は１０［ＭＨｚ］、伝送ＣＬＫ周波数の最大値は５０［ＭＨｚ］となり、また、１２００ｄｐｉ×１２００ｄｐｉ×１ｂｉｔモードでは、伝送ＣＬＫ周波数の最小値は４０［ＭＨｚ］、伝送ＣＬＫ周波数の最大値は５０［ＭＨｚ］となり、また、６００ｄｐｉ×６００ｄｐｉ×８ｂｉｔモードでは、伝送ＣＬＫ周波数の最小値は８０［ＭＨｚ］、伝送ＣＬＫ周波数の最大値は５０［ＭＨｚ］となっている。
【００６８】
図１０に示す例では、６００ｄｐｉ×６００ｄｐｉ×８ｂｉｔモードでは、必要な帯域を得る為の伝送クロックの最小値は８０［ＭＨｚ］で、インターフェースが許容する伝送ＣＬＫの最大値５０［ＭＨｚ］を超えている為、伝送不可能となってしまう。このような場合には、その範囲を超えるクロック周波数が求められるモードを禁止し、解像度／階調／データフォーマット／色情報などの組み合わせにより、伝送ＣＬＫがスペックで決められた伝送ＣＬＫ最大値を超えないモードのみを許容、または超えないモードへ自動的に切り替えて印字する。この時、画像のタイプにより劣化が最も少ないモードへ自動的に切り替えるようにすることが好ましい。
【００６９】
また、クロック周波数の限界により伝送するモードを切り替える場合には、例えば、画像信号伝送装置２の画像変換手段２６、接続モジュール３であるプリンタ間の通信により調停した後に、プリント動作を開始する。ケーブルの長さ又は品質がこのスペックを満たさないものであれば、解像度／階調／データフォーマット／色情報を限定して伝送する。
【００７０】
第８実施形態によれば、ケーブル長やケーブル内の電線長のばらつきに応じた画像信号を伝送できる。
【００７１】
また、上記各実施形態によれば、ケーブルの長さを自動検知することができるので、電流加速値または電圧振幅値を大きめに設定する必要もないので、電界放射（Ｖｃｃｉ）などに有利である。また、長さや品質などのスペック外のケーブルをつけられることもないので、伝送品質が低下することもない。
【００７２】
上記において、情報処理装置５は、ケーブル長検知手段の検知結果に応じて機能を限定したジョブだけをケーブル４へ出力する際に、機能を限定したジョブだけを行うことをユーザーインターフェースを介して表示手段６に表示する。
【００７３】
なお、ケーブル４の品質は、第５実施形態で説明したように、ケーブル長のばらつきに基づく各ビットの遅れ量を検出することにより検知できる。なお、上記実施の形態で説明した情報処理装置１は、パーソナルコンピュータに限らず、例えば、画像処理装置、画像読取装置、画像形成装置又はＦＡＸ装置等であってもよい。
【００７４】
以上本発明の好ましい実施の形態について詳述したが、本発明は係る特定の実施形態に限定されるものではなく、特許請求の範囲に記載された本発明の要旨の範囲内において、種々の変形・変更が可能である。
【００７５】
【発明の効果】
以上説明したように、本発明によれば、簡単な構成によりケーブルのケーブル長や品質を検知することができ、ケーブルの長さ・品質に応じて伝送パラメータを変更して伝送する。
【図面の簡単な説明】
【図１】第１実施形態に係るシステムのブロック図である。
【図２】第１実施形態に係る画像信号伝送装置を説明するための図である。
【図３】ケーブル長の特定例について説明するための図である。
【図４】第２実施形態に係る画像信号伝送装置を説明するための図である。
【図５】第３実施形態に係る画像信号伝送装置のケーブル長検知方法を説明するための図である。
【図６】タイミングチャートを示している。
【図７】画像信号出力手段が行うケーブル長に応じた電圧振幅値又は電流加速値の変更例を示す図である。
【図８】（ａ）は電圧振幅値の変更を示す図であり、（ｂ）は電流加速値の変更を示す図である。
【図９】伝送周波数範囲の例を示す図である。
【図１０】伝送帯域の例を示す図である。
【符号の説明】
１  システム
２  画像信号伝送装置
３  接続モジュール
４  ケーブル
５  情報処理装置
６  表示手段
２１、１２１、２２１  ケーブル長検知手段
２３、１２３、２２３  基板
２４、１２４、２２４  コネクタ
３１  受信手段
４１、１４１、２４１  コネクタ
【図１】
2005018291.tif 000003
【図２】
2005018291.tif 000004
【図３】
2005018291.tif 000005
【図４】
2005018291.tif 000006
【図５】
2005018291.tif 000007
【図６】
2005018291.tif 000008
【図７】
2005018291.tif 000009
【図８】
2005018291.tif 000010
【図９】
2005018291.tif 000011
【図１０】
2005018291.tif 000012